(57)【要約】【課題】送信印刷の実行により得られた印刷物の内容が漏洩するのを抑制する。【解決手段】送信側装置は、ジョブ設定および送信先設定を受け付け、送信先に設定されたユーザーに対応付けられた画像形成装置に対して、画像データ、実行条件情報およびユーザー情報を含むジョブデータを送信し、受信側装置は、ジョブデータを保存し、ユーザー情報で示されるユーザーからジョブデータに含まれる画像データに基づく印刷ジョブの実行指示を受け付けると、実行条件情報で示される実行条件に基づき印刷ジョブを実行する。【選択図】図４
2018082330.tif 000002
【特許請求の範囲】
【請求項１】
ジョブデータを送受信する画像形成装置を複数備え、
前記ジョブデータの送信を行う前記画像形成装置である送信側装置は、印刷ジョブの実行条件を設定するジョブ設定、および、送信先のユーザーを設定する送信先設定を受け付け、前記送信先設定で前記送信先に設定されたユーザーに対応付けられた前記画像形成装置に対して、前記印刷ジョブに用いる画像データ、前記ジョブ設定で設定された前記実行条件を示す実行条件情報、および、前記送信先設定で前記送信先に設定されたユーザーを示すユーザー情報を含むデータを前記ジョブデータとして送信し、
前記ジョブデータを受信する前記画像形成装置である受信側装置は、前記ジョブデータを受信すると前記ジョブデータを保存し、前記ユーザー情報で示されるユーザーから前記ジョブデータに含まれる画像データに基づく前記印刷ジョブの実行指示を受け付けたときに、前記実行条件情報で示される前記実行条件に基づき前記印刷ジョブを実行することを特徴とする画像形成システム。
【請求項２】
前記送信側装置は、前記ジョブ設定で設定した前記実行条件の変更を許可するか否かを受け付けるとともに、前記実行条件の変更を許可する旨を受け付けた場合に前記ジョブデータに許可情報を含め、
前記受信側装置は、前記ジョブデータに含まれる画像データに基づく前記印刷ジョブの実行に際して、前記ジョブデータに前記許可情報が含まれているか否かを判断し、前記ジョブデータに前記許可情報が含まれている場合には前記実行条件の変更指示を受け付け、前記ジョブデータに前記許可情報が含まれていない場合には前記実行条件の変更指示を受け付けないことを特徴とする請求項１に記載の画像形成システム。
【請求項３】
前記送信側装置は、前記送信先設定で前記送信先に設定されたユーザーが複数存在する場合、前記送信先設定で前記送信先に設定されたユーザーに対応付けられた全ての前記画像形成装置に対して前記ジョブデータを送信することを特徴とする請求項１または２に記載の画像形成システム。
【請求項４】
前記受信側装置は、前記ジョブデータを受信すると、前記ユーザー情報で示されるユーザーがアクセス権限を有する保存領域に前記ジョブデータを保存することを特徴とする請求項１〜３のいずれか１項に記載の画像形成システム。
【請求項５】
前記受信側装置は、前記ジョブデータを受信すると、前記ユーザー情報で示されるユーザーが使用するユーザー端末に対して前記ジョブデータを受信した旨を通知する処理、および、前記ユーザー情報で示されるユーザー宛の前記ジョブデータを受信した旨のメッセージを表示する処理、の少なくとも一方を行うことを特徴とする請求項１〜４のいずれか１項に記載の画像形成システム。
【請求項６】
前記送信側装置は、前記ジョブデータの送信に際して、前記ジョブデータに含まれる画像データに基づく前記印刷ジョブの実行によって得られる印刷物を取得するか否かを受け付け、前記印刷物を取得する旨を受け付けると、前記ジョブデータに含まれる画像データに基づく前記印刷ジョブを実行することを特徴とする請求項１〜５のいずれか１項に記載の画像形成システム。
【請求項７】
前記送信側装置は、前記ジョブデータの送信に際して、前記送信先設定で前記送信先に設定されたユーザーをリストアップしたリストを表示し、前記送信先の追加および削除を受け付けることを特徴とする請求項１〜６のいずれか１項に記載の画像形成システム。
【請求項８】
前記送信側装置は、印刷部数を設定する部数設定を受け付けるとともに、前記部数設定で設定された前記印刷部数を示す部数情報を前記ジョブデータに含め、
前記受信側装置は、前記ジョブデータに含まれる画像データに基づく前記印刷ジョブの実行時に、前記部数情報で示される部数分の印刷を行うことを特徴とする請求項１〜７のいずれか１項に記載の画像形成システム。
【発明の詳細な説明】
【技術分野】
【０００１】
本発明は、複数の画像形成装置を備える画像形成システムに関する。
【背景技術】
【０００２】
従来、互いに通信可能に接続された複数の画像形成装置を備える画像形成システムが知られている。このような画像形成システムは、たとえば、特許文献１に開示されている。
【０００３】
特許文献１の構成では、画像形成システム内の或る画像形成装置から他の画像形成装置に対して、印刷すべき画像の画像データを送信することができる。すなわち、印刷すべき画像の画像データを入力した画像形成装置とは異なる画像形成装置に当該画像データに基づく印刷ジョブを実行させることができる（送信印刷が可能である）。
【先行技術文献】
【特許文献】
【０００４】
【特許文献１】特開２０１６−１７７５０９号公報
【発明の概要】
【発明が解決しようとする課題】
【０００５】
特許文献１では、画像形成システム内の或る画像形成装置が画像データを送信する送信側装置となり、画像形成システム内の他の画像形成装置が画像データを受信する受信側装置となる。送信側装置は、受信側装置に画像データを送信するとき、当該画像データに基づく印刷ジョブの実行を指示する。すなわち、受信側装置は、送信側装置から画像データを受信すると、当該画像データに基づく印刷ジョブを実行する。
【０００６】
ここで、送信印刷の実行により得られた印刷物（受信側装置が印刷した印刷物）をユーザーが直ぐに取りに来るとは限らない。場合によっては、長期間にわたって印刷物が放置されることがある。この場合には、印刷物の内容が漏洩するという不都合が生じる。
【０００７】
本発明は、上記課題を解決するためになされたものであり、送信印刷の実行により得られた印刷物の内容が漏洩する（印刷物が放置される）のを抑制することが可能な画像形成システムを提供することを目的とする。
【課題を解決するための手段】
【０００８】
上記目的を達成するため、本発明の画像形成システムは、ジョブデータを送受信する画像形成装置を複数備える。ジョブデータの送信を行う画像形成装置である送信側装置は、印刷ジョブの実行条件を設定するジョブ設定、および、送信先のユーザーを設定する送信先設定を受け付け、送信先設定で送信先に設定されたユーザーに対応付けられた画像形成装置に対して、印刷ジョブに用いる画像データ、ジョブ設定で設定された実行条件を示す実行条件情報、および、送信先設定で送信先に設定されたユーザーを示すユーザー情報を含むデータをジョブデータとして送信する。ジョブデータを受信する画像形成装置である受信側装置は、ジョブデータを受信するとジョブデータを保存し、ユーザー情報で示されるユーザーからジョブデータに含まれる画像データに基づく印刷ジョブの実行指示を受け付けると、実行条件情報で示される実行条件に基づき印刷ジョブを実行する。
【０００９】
本発明の構成では、送信側装置から送信され、受信側装置が受信したジョブデータが受信側装置に保存される。それ以降、受信側装置は、ユーザー情報で示されるユーザー（ここでは、対象ユーザーと称する）からジョブデータに含まれる画像データに基づく印刷ジョブ（ここでは、対象印刷ジョブと称する）の実行指示を受け付けたときに対象印刷ジョブを実行する。言い換えると、受信側装置の近くに対象ユーザーが居るときにだけ受信側装置が対象印刷ジョブを実行する。これにより、対象印刷ジョブの印刷物（送信印刷の実行により得られた印刷物）は直ちに対象ユーザーによって取得されるので、対象印刷ジョブの印刷物の内容が漏洩するのを抑制することができる。
【００１０】
また、受信側装置は実行条件情報で示される実行条件に基づき対象印刷ジョブを実行するので、送信側装置のユーザー（送信側装置に対するジョブ設定で対象印刷ジョブの実行条件を設定したユーザー）が意図した形式の印刷物を対象ユーザーに提供することができる。さらに、対象ユーザーからすると、対象印刷ジョブの実行に際してジョブ設定を行う必要がないので、利便性が良い。
【発明の効果】
【００１１】
本発明の構成では、送信印刷の実行により得られた印刷物の内容が漏洩する（印刷物が放置される）のを抑制することができる。
【図面の簡単な説明】
【００１２】
【図１】本発明の一実施形態による画像形成システムの全体構成を示す図
【図２】本発明の一実施形態による画像形成システムの画像形成装置の構成を示す図
【図３】本発明の一実施形態による画像形成システムの画像形成装置の構成（ハードウェア構成）を示す図
【図４】本発明の一実施形態による画像形成システムの画像形成装置に表示されるジョブ設定画面（設定項目画面）を示す図
【図５】本発明の一実施形態による画像形成システムの画像形成装置に表示されるジョブ設定画面（設定値画面）を示す図
【図６】本発明の一実施形態による画像形成システムの画像形成装置に表示される送信先設定画面を示す図
【図７】本発明の一実施形態による画像形成システムの画像形成装置に表示される送信先情報画面を示す図
【図８】本発明の一実施形態による画像形成システムで実行される送信印刷の流れを示すフローチャート
【図９】本発明の一実施形態による画像形成システムで実行される送信印刷の流れを示すフローチャート
【図１０】本発明の一実施形態による画像形成システムで実行される送信印刷の流れを示すフローチャート
【発明を実施するための形態】
【００１３】
＜画像形成システムの全体構成＞
図１に示すように、本実施形態の画像形成システム１００Ｓは、複数の画像形成装置１００を備える。複数の画像形成装置１００は、ネットワークＮＴを介して互いに通信可能に接続される。そして、複数の画像形成装置１００は、それぞれ、画像形成システム１００Ｓ内の他の画像形成装置１００との間でジョブデータを送受信する。詳細については後述する。
【００１４】
たとえば、複数の画像形成装置１００の各設置場所は互いに異なる。一例を挙げると、画像形成システム１００Ｓは複数のフロア（図１では、破線で示す）を有する同一建物内に構築され、複数のフロアのそれぞれに画像形成装置１００が設置される。
【００１５】
また、ネットワークＮＴには、パーソナルコンピューターであるユーザー端末２００が複数接続される。たとえば、複数のユーザー端末２００は、それぞれ、対応するユーザーが使用する画像形成装置１００の設置場所（フロア）と同一の場所に設置される。
【００１６】
なお、画像形成システム１００Ｓ内の画像形成装置１００の台数は特に限定されない。図１では、画像形成装置１００の台数が４台である場合を図示するが、画像形成装置１００の台数が３台以下であってもよいし、５台以上であってもよい。
【００１７】
＜画像形成装置の構成＞
画像形成装置１００は、たとえば、コピー機能やボックス機能など複数種の機能を搭載する複合機である。なお、ボックス機能は、後述する記憶部５０の保存領域５１（当該保存領域５１はボックスと称される）に保存した画像データに基づく印刷ジョブを実行する機能である。ここで、画像形成システム１００Ｓ内の複数の画像形成装置１００の各仕様は、互いに同じであってもよいし、異なっていてもよい。以下、複数の画像形成装置１００の各仕様が互いに同じであるものとして説明する。
【００１８】
画像形成装置１００は、図２に示すように、画像読取部１０、印刷部２０および操作パネル３０を備える。
【００１９】
画像読取部１０は、原稿Ｄを読み取り原稿Ｄの画像データを生成する。画像読取部１０は、ランプ１１やイメージセンサー１２など原稿Ｄを光学的に読み取るための光学系部材を含む。ランプ１１やイメージセンサー１２などは、画像読取部１０の筐体（読取筐体）の内部に収容される。読取筐体の上面にはコンタクトガラスＣＧが設けられる。そして、画像読取部１０は、コンタクトガラスＣＧ上に載置された原稿Ｄを読み取る。
【００２０】
印刷部２０は、用紙Ｐに画像を印刷する印刷ジョブを実行する。印刷ジョブでは、画像読取部１０が読み取った原稿Ｄの画像データに基づく画像の用紙Ｐへの印刷が印刷部２０により行われる。あるいは、後述する記憶部５０の保存領域５１（ボックス）に保存された画像データに基づく画像の用紙Ｐへの印刷が印刷部２０により行われる。
【００２１】
印刷部２０は、用紙搬送路２０Ｐに沿って用紙Ｐを搬送する。また、印刷部２０は、印刷すべき画像の画像データに基づきトナー像を形成する。そして、印刷部２０は、搬送中の用紙Ｐにトナー像を印刷する。印刷部２０は、用紙カセットに収容された用紙Ｐを用紙搬送路２０Ｐに給紙する給紙部２１、トナー像を形成して用紙Ｐに転写する画像形成部２２、および、用紙Ｐに転写されたトナー像を用紙Ｐに定着させる定着部２３などを含む。
【００２２】
操作パネル３０は、タッチパネルディスプレイ３１を含む。タッチパネルディスプレイ３１は、各種設定を受け付けるためのソフトウェアキーやメッセージなどを配した画面を表示する。また、タッチパネルディスプレイ３１は、表示画面に対するタッチ操作をユーザーから受け付ける。たとえば、タッチパネルディスプレイ３１は、印刷ジョブの実行に際して、ジョブ実行条件の設定を受け付けるための画面を表示し、ジョブ実行条件の設定をユーザーから受け付ける。また、タッチパネルディスプレイ３１は、ユーザーに対して各種報知を行うための画面（メッセージ）を表示する。
【００２３】
さらに、操作パネル３０は、ハードウェアキー３２を含む。ハードウェアキー３２は、操作パネル３０に複数設けられる。操作パネル３０に設けられるハードウェアキー３２としては、たとえば、ジョブの実行指示をユーザーから受け付けるためのスタートキーや、数値入力をユーザーから受け付けるためのテンキーなどがある。
【００２４】
また、図３に示すように、画像形成装置１００は、制御部４０、記憶部５０および通信部６０を備える。制御部４０、記憶部５０および通信部６０は、バスを介して互いに通信可能に接続される。
【００２５】
制御部４０は、画像読取部１０、印刷部２０および操作パネル３０と接続される。そして、制御部４０は、画像読取部１０の読取動作の制御および印刷部２０の印刷動作の制御を行う。また、制御部４０は、操作パネル３０の表示動作を制御するとともに、操作パネル３０に対して行われた操作（タッチパネルディスプレイ３１に対するタッチ操作およびハードウェアキー３２に対する押下操作）を検知する。
【００２６】
制御部４０は、ＣＰＵ４１およびメモリー４２を含む。ＣＰＵ４１は、制御用のプログラムおよびデータに基づき動作する。メモリー４２は、ＲＯＭおよびＲＡＭを含む。ＣＰＵ４１を動作させるための制御用のプログラムおよびデータはＲＯＭに記憶され、ＲＡＭに展開される。
【００２７】
記憶部５０は、ＲＯＭ（ＥＥＰＲＯＭなど）やＨＤＤなどの不揮発性の記憶デバイスを含む。制御部４０は、記憶部５０からのデータの読み出しを行うとともに、記憶部５０へのデータの書き込みを行う。記憶部５０には、ボックス機能で使用する保存領域５１（ボックス）が設けられる。たとえば、画像形成装置１００を使用するユーザーが複数存在する場合には、記憶部５０に複数の保存領域５１が設けられ、複数のユーザーのそれぞれに異なる保存領域５１が割り当てられる。そして、記憶部５０のいずれかの保存領域５１にアクセスするには、当該保存領域５１へのアクセス権限が必要となる。
【００２８】
たとえば、画像形成装置１００は、ログイン機能を搭載する。そして、制御部４０は、画像形成装置１００にログインしたユーザーを認識し、当該ユーザーに対して、当該ユーザーに割り当てられた保存領域５１へのアクセスを許可する。
【００２９】
あるいは、保存領域５１ごとに保存領域５１を使用するためのパスワードが設定されてもよい。この場合、制御部４０は、ボックス機能を使用するためのボックスパスワードの入力の受け付けを操作パネル３０に行わせる。そして、制御部４０は、操作パネル３０に入力されたボックスパスワードと同じパスワードが設定された保存領域５１が存在するとき、当該保存領域５１へのアクセスを許可する。
【００３０】
通信部６０は、画像形成装置１００に外部機器を通信可能に接続するためのインターフェースであり、通信回路やメモリー、通信用コネクターなどを含む。制御部４０は、通信部６０を介して、ネットワークＮＴに接続された画像形成装置１００と通信する。また、制御部４０は、通信部６０を介して、ネットワークＮＴに接続されたユーザー端末２００と通信する。
【００３１】
＜ジョブ設定の受け付け＞
画像形成システム１００Ｓ内の複数の画像形成装置１００は、それぞれ、操作パネル３０を介して、印刷ジョブの実行条件を設定するジョブ設定をユーザーから受け付ける。このとき、操作パネル３０には、ジョブ設定を受け付けるためのジョブ設定画面３００（図４および図５参照）が表示される。
【００３２】
まず、制御部４０は、図４に示すような設定項目画面３１０をジョブ設定画面３００として操作パネル３０に表示させる。設定項目画面３１０は、用紙サイズや濃度など複数の設定項目から設定対象とする設定項目（設定値をデフォルト値から変更する設定項目）の指定をユーザーから受け付けるための画面である。設定項目画面３１０には、複数の設定項目にそれぞれ対応する複数の項目指定キーＫ１０（ソフトウェアキー）が配される。
【００３３】
制御部４０は、設定項目画面３１０の複数の項目指定キーＫ１０のいずれかに対するタッチ操作を検知すると、タッチ操作の操作対象となった項目指定キーＫ１０に対応する設定項目（ユーザー指定の設定項目）の設定値の設定をユーザーから受け付けるためのジョブ設定画面３００を操作パネル３０に表示させる。そして、制御部４０は、ユーザー指定の設定項目の設定値の設定の受け付けを操作パネル３０に行わせる。
【００３４】
たとえば、複数の設定項目のうち用紙サイズ（Ｐａｐｅｒ  Ｓｌｅｃｔｉｏｎ）が指定されたとする。この場合、操作パネル３０は、図５に示すような設定値画面３２０をジョブ設定画面３００として表示し、用紙サイズの設定値の設定をユーザーから受け付ける。設定値画面３２０には、設定値として設定可能な複数の用紙サイズにそれぞれ対応する複数の値設定キーＫ２０（ソフトウェアキー）が配される。そして、制御部４０は、複数の値設定キーＫ２０のいずれかに対するタッチ操作を検知すると、タッチ操作を受けた値設定キーＫ２０に対応する値をユーザーが指定した値として認識する。
【００３５】
また、制御部４０は、設定値の確定指示を操作パネル３０がユーザーから受け付けたか否かを判断する。たとえば、設定値画面３２０には、設定値の確定指示をユーザーから受け付けるためのソフトウェアキーであるＯＫキー（「ＯＫ」と表記されたキー）が配される。そして、制御部４０は、設定値画面３２０のＯＫキーに対するタッチ操作を検知すると、ユーザーが指定した値を用紙サイズの設定値として確定する。このとき、制御部４０は、操作パネル３０の表示画面を設定項目画面３１０に遷移させる。すなわち、制御部４０は、新たに、複数の設定項目から設定対象とする設定項目の指定の受け付けを操作パネル３０に行わせる。
【００３６】
図示しないが、設定項目画面３１０において複数の設定項目のうち用紙サイズとは異なる設定項目をユーザーが指定した場合、用紙サイズをユーザーが指定した場合と同様、ユーザー指定の設定項目の設定値を設定するための画面が表示され、その後、当該画面において設定値が設定され確定されると、表示画面が設定項目画面３１０に遷移する。これにより、印刷ジョブの実行条件（印刷ジョブに関する複数の設定項目の各設定値）の設定を行うことができる。
【００３７】
＜送信印刷の設定＞
本実施形態では、画像形成システム１００Ｓ内の或る画像形成装置１００で読み取った原稿Ｄの画像データに基づく印刷ジョブを他の画像形成装置１００に実行させることができる。言い換えると、送信印刷の実行が可能である。
【００３８】
送信印刷では、或る画像形成装置１００において、当該画像形成装置１００での原稿Ｄの読み取りによって得られた原稿Ｄの画像データ（印刷すべき画像の画像データ）を含むジョブデータが生成され、或る画像形成装置１００から他の画像形成装置１００に対してジョブデータが送信される。他の画像形成装置１００がジョブデータを受信すると、当該画像形成装置１００はジョブデータを保存する。これにより、ジョブデータを受信し保存した画像形成装置１００において、ジョブデータに含まれる画像データに基づく印刷ジョブの実行が可能となる。
【００３９】
以下の説明では、ジョブデータの送信を行う画像形成装置１００を送信側装置１００Ａと称するとともに、ジョブデータを受信する画像形成装置１００を受信側装置１００Ｂと称する。また、受信側装置１００Ｂに実行させる印刷ジョブ（ジョブデータに含まれる画像データに基づく印刷ジョブ）を対象印刷ジョブと称する。
【００４０】
送信側装置１００Ａの制御部４０は、ジョブデータの送信に際して、対象印刷ジョブの実行条件を設定するジョブ設定の受け付けを操作パネル３０に行わせる。すなわち、操作パネル３０は、ジョブ設定画面３００（図４および図５参照）を表示してユーザーからジョブ設定を受け付ける。そして、送信側装置１００Ａの制御部４０は、ジョブ設定で設定された対象印刷ジョブの実行条件を示す実行条件情報をジョブデータに含める。
【００４１】
また、送信側装置１００Ａの制御部４０は、ジョブデータの送信に際して、送信先のユーザーを設定する送信先設定の受け付けを操作パネル３０に行わせる。そして、送信側装置１００Ａの制御部４０は、送信先設定で送信先に設定されたユーザーを示すユーザー情報をジョブデータに含める。
【００４２】
たとえば、図４に示すように、設定項目画面３１０には、ユーザー指定の送信先（送信先設定で送信先に設定されたユーザーおよび当該ユーザーに対応付けられた画像形成装置１００のアドレス）のリストである送信先リストＬ１０が配される。送信先リストＬ１０には、「Ｕｓｅｒ欄」および「Ｄｅｓｔｉｎａｔｉｏｎ欄」が存在し、それぞれに、送信先設定で送信先に設定したユーザー（ユーザー固有の識別情報）および当該ユーザーに対応付けられた画像形成装置１００のアドレスが表示される。
【００４３】
また、設定項目画面３１０には、ソフトウェアキーとして、追加キーＫ１１、編集キーＫ１２および削除キーＫ１３が配される。
【００４４】
送信側装置１００Ａの制御部４０は、設定項目画面３１０の追加キーＫ１１に対するタッチ操作を検知すると、図６に示すような送信先設定画面３３０を操作パネル３０に表示させる。送信先設定画面３３０には、予め登録された登録送信先（送信先となり得るユーザーとして予め登録された登録ユーザーおよび登録ユーザーに対応付けられた画像形成装置１００のアドレス）のリストである登録リストＬ３０が配される。たとえば、登録送信先のデータベースＤＢ（図３参照）が記憶部５０に記憶され、データベースＤＢに格納された登録送信先が登録リストＬ３０にリストアップされる。
【００４５】
なお、画像形成システム１００Ｓ内の全ての画像形成装置１００が送信側装置１００Ａになり得る。このため、画像形成システム１００Ｓ内の全ての画像形成装置１００の各記憶部５０にデータベースＤＢが記憶される。ただし、各記憶部５０のデータベースＤＢに格納される登録送信先は異なっていてもよい。たとえば、送信先の登録は操作パネル３０に対する操作によって行うことができる（操作パネル３０が送信先の登録を受け付ける）。
【００４６】
送信先設定画面３３０は、送信先設定をユーザーから受け付けるための画面である。送信先設定画面３３０には、ソフトウェアキーとして確定キーＫ３１（「Ａｄｄ」と表記されたキー）が配される。また、登録リストＬ３０にリストアップされた各登録送信先の表示領域には、チェックボックスＣＢが配される。送信側装置１００Ａの制御部４０は、チェックボックスＣＢに対するタッチ操作を検知すると、タッチ操作の操作対象になったチェックボックスＣＢにチェックを入れる処理を操作パネル３０に行わせる。そして、送信側装置１００Ａの制御部４０は、確定キーＫ３１に対するタッチ操作を検知すると、操作パネル３０の表示画面を設定項目画面３１０に遷移させる。
【００４７】
このとき、送信側装置１００Ａの制御部４０は、登録リストＬ３０にリストアップされた各登録送信先について、対応するチェックボックスＣＢにおけるチェックの有無を確認するとともに、対応するチェックボックスＣＢにチェックが有る登録送信先をユーザー指定の送信先として認識する。そして、送信側装置１００Ａの制御部４０は、操作パネル３０に指示し、設定項目画面３１０の送信先リストＬ１０にユーザー指定の送信先をリストアップさせる。
【００４８】
なお、送信先設定画面３３０には、ソフトウェアキーとしてキャンセルキーＫ３２が配される。送信側装置１００Ａの制御部４０は、キャンセルキーＫ３２に対するタッチ操作を検知すると、ユーザー指定の送信先が設定されていない状態にする。すなわち、全てのチェックボックスＣＢからチェックが外される。
【００４９】
送信側装置１００Ａの制御部４０は、送信先リストＬ１０に送信先（送信先設定で送信先に設定されたユーザーおよび当該ユーザーに対応付けられた画像形成装置１００のアドレス）がリストアップされた状態で、送信印刷の実行指示（操作パネル３０のスタートキーに対する押下操作）を操作パネル３０が受け付けると、ジョブデータを生成し、受信側装置１００Ｂへのジョブデータの送信を通信部６０に行わせる。このとき、送信側装置１００Ａの制御部４０は、対象印刷ジョブに用いる画像データ、ジョブ設定で設定された対象印刷ジョブの実行条件を示す実行条件情報、および、送信先設定で送信先に設定されたユーザー（送信先リストＬ１０にリストアップされたユーザー）を示すユーザー情報をジョブデータに含める。
【００５０】
図示しないが、画像形成システム１００Ｓ内の全ての画像形成装置１００がアクセス可能なサーバーなどの記憶装置を画像形成システム１００Ｓに追加し、当該記憶装置にデータベースＤＢを記憶させてもよい。この場合、送信側装置１００Ａで送信先設定を行うとき、他の画像形成装置１００で登録された送信先を呼び出すことができる。
【００５１】
また、送信側装置１００Ａの制御部４０は、ジョブ設定で設定した対象印刷ジョブの実行条件（複数の設定項目の各設定値）の変更を許可するか否かの受け付けを操作パネル３０に行わせる。このとき、操作パネル３０は、対象印刷ジョブの実行条件の変更を許可するか否かを送信先ごとにユーザーから受け付ける。
【００５２】
対象印刷ジョブの実行条件の変更を許可するか否かの受け付けでは、送信先設定画面３３０（図６参照）に配された切替キーＫ３３が用いられる。この切替キーＫ３３は、対象印刷ジョブの実行条件の変更が許可されているか否かに応じて表示形態を変化させるソフトウェアキーであり、許可不許可の切り替えをユーザーから受け付けるためのソフトウェアキーである。
【００５３】
たとえば、送信側装置１００Ａの制御部４０は、送信先設定画面３３０の登録リストＬ３０から登録送信先を選択するタッチ操作（登録送信先の表示領域に対するタッチ操作）を検知すると、選択された登録送信先に対応する許可不許可設定（対象印刷ジョブの実行条件の変更を許可するか否かの設定）の設定内容を認識する。なお、選択された登録送信先の表示領域は、表示色が反転する。そして、選択された登録送信先に対応する許可不許可設定が許可に設定されている場合、送信側装置１００Ａの制御部４０は、操作パネル３０に指示し、対象印刷ジョブの実行条件の変更が許可されていることを示す所定画像Ｐ３０を切替キーＫ３３の表示領域に表示させる。一方で、選択された登録送信先に対応する許可不許可設定が不許可に設定されている場合、送信側装置１００Ａの制御部４０は、所定画像Ｐ３０の表示を操作パネル３０に行わせない。
【００５４】
さらに、送信側装置１００Ａの制御部４０は、登録リストＬ３０から登録送信先が選択された状態で、切替キーＫ３３に対するタッチ操作を検知すると、選択された登録送信先に対応する許可不許可設定の設定内容を切り替える。すなわち、選択された登録送信先に対応する許可不許可設定が許可に設定されている場合に切替キーＫ３３へのタッチ操作を検知すると、送信側装置１００Ａの制御部４０は、選択された登録送信先に対応する許可不許可設定を不許可に切り替える。一方で、選択された登録送信先に対応する許可不許可設定が不許可に設定されている場合に切替キーＫ３３へのタッチ操作を検知すると、送信側装置１００Ａの制御部４０は、選択された登録送信先に対応する許可不許可設定を許可に切り替える。
【００５５】
そして、送信側装置１００Ａの制御部４０は、許可不許可設定が許可に設定された送信先に送信するジョブデータに、対象印刷ジョブの実行条件の変更が許可されている旨を示す許可情報を含める。一方で、送信側装置１００Ａの制御部４０は、許可不許可設定が不許可に設定された送信先に送信するジョブデータには許可情報を含めない。
【００５６】
また、送信側装置１００Ａの制御部４０は、対象印刷ジョブの印刷部数を設定する部数設定の受け付けを操作パネル３０に行わせる。このとき、操作パネル３０は、送信先ごとに部数設定を受け付ける。なお、設定項目画面３１０（図４参照）の送信先リストＬ１０には「Ｃｏｐｉｅｓ欄」が存在し、部数設定で設定した印刷部数が表示される。
【００５７】
部数設定の受け付けは、送信先設定画面３３０（図６参照）の表示中に行われる。たとえば、送信先設定画面３３０には、部数欄Ｃ３０が配される。送信側装置４００の制御部４０は、登録送信先が選択された状態で、数値入力操作（操作パネル３０のテンキーに対する押下操作）を操作パネル３０が受け付けると、操作パネル３０に指示し、数値入力操作により入力された数値を印刷部数として部数欄Ｃ３０に表示させる。また、送信側装置１００Ａの制御部４０は、選択された登録送信先に対応する印刷部数を数値入力操作により入力された数値（部数欄Ｃ３０に表示された数値）に設定する。そして、送信側装置１００Ａの制御部４０は、ジョブデータの送信に際して、ジョブデータの送信先に対応する印刷部数（部数設定で設定された印刷部数）を示す部数情報を当該ジョブデータに含める。
【００５８】
また、送信側装置１００Ａの制御部４０は、設定項目画面３１０（図４参照）の送信先リストＬ１０から送信先を選択するタッチ操作（送信先の表示領域に対するタッチ操作）の受け付けを操作パネル３０に行わせる。なお、選択された送信先の表示領域は、表示色が反転する。そして、送信側装置１００Ａの制御部４０は、送信先リストＬ１０から送信先が選択された状態で、編集キーＫ１２に対するタッチ操作を検知すると、図７に示すような送信先情報画面３４０を操作パネル３０に表示させる。
【００５９】
送信先情報画面３４０には、送信先リストＬ１０から選択した送信先の情報として、送信先のユーザー（ユーザー固有の識別情報）、および、当該ユーザーに対応付けられた画像形成装置１００のアドレスなどが表示される。
【００６０】
また、送信先情報画面３４０には、送信先設定画面３３０（図６参照）の切替キーＫ３３と同じ機能が割り当てられた切替キーＫ４１が配される。これにより、送信先情報画面３４０の表示中に送信先の許可不許可設定を切り替えることができる。なお、送信先情報画面３４０では、送信先設定画面３３０と同様、対象印刷ジョブの印刷部数を設定する部数設定の受け付けも行われる。送信先情報画面３４０に対する部数設定により設定した印刷部数は、送信先情報画面３４０に配された部数欄Ｃ４０に表示される。
【００６１】
さらに、送信先情報画面３４０には、送信先のユーザーに対応付けられた画像形成装置１００（アドレス）を別の画像形成装置１００（アドレス）に変更する旨の指示をユーザーから受け付ける変更キーＫ４２がソフトウェアキーとして配される。送信側装置１００Ａの制御部４０は、変更キーＫ４２に対するタッチ操作を検知すると、図示しないが、送信先のユーザーに対応付ける画像形成装置１００（アドレス）を変更するための画面を操作パネル３０に表示させる。
【００６２】
また、送信側装置１００Ａの制御部４０は、設定項目画面３１０（図４参照）の送信先リストＬ１０から送信先が選択された状態で、削除キーＫ１３に対するタッチ操作を検知すると、選択された送信先を送信先リストＬ１０から削除する。
【００６３】
設定項目画面３１０には、キープコピーキーＫ１４がさらに配される。このキープコピーキーＫ１４は、対象印刷ジョブの実行によって得られる印刷物を取得するか否か（キープコピーのオンオフ設定）をユーザーから受け付けるためのソフトウェアキーである。たとえば、キープコピーがオンに設定されている場合には、キープコピーキーＫ１４の表示領域に所定画像Ｐ１０（たとえば、図６に示した切替キーＫ３３に配される所定画像Ｐ３０と同じ画像）が表示される一方、キープコピーがオフに設定されている場合には、キープコピーキーＫ１４の表示領域に所定画像Ｐ１０は表示されない。
【００６４】
送信側装置１００Ａの制御部４０は、キープコピーがオンに設定されている場合にキープコピーキーＫ１４に対するタッチ操作を検知すると、キープコピーをオフに切り替え、キープコピーがオフに設定されている場合にキープコピーキーＫ１４に対するタッチ操作を検知すると、キープコピーをオンに切り替える。そして、送信側装置１００Ａの制御部４０は、キープコピーがオンに設定された状態で、送信印刷の実行指示を操作パネル３０が受け付けると、受信側装置１００Ｂへのジョブデータの送信を通信部６０に行わせるときに、対象印刷ジョブを自機の印刷部２０に実行させる。
【００６５】
＜送信印刷の流れ＞
以下に、図８〜図１０に示すフローチャートを参照して、送信印刷の流れについて説明する。
【００６６】
まず、図８に示すフローチャートを参照して、送信側装置１００Ａから受信側装置１００Ｂにジョブデータを送信するときの処理の流れについて説明する。図８に示すフローチャートは、送信側装置１００Ａの制御部４０が印刷ジョブの実行指示（操作パネル３０のスタートキーに対する押下操作）を検知したときにスタートする。
【００６７】
ステップＳ１において、送信側装置１００Ａの制御部４０は、送信印刷の送信先（印刷出力先）が設定されているか否かを判断する。言い換えると、送信側装置１００Ａの制御部４０は、送信先設定で設定された送信先が設定項目画面３１０の送信先リストＬ１０にリストアップされているか否かを判断する。その結果、送信先が設定されていると送信側装置１００Ａの制御部４０が判断した場合には、ステップＳ２に移行する。
【００６８】
ステップＳ２に移行すると、送信側装置１００Ａの制御部４０は、キープコピーのオンオフ設定がオンに設定されているか否かを判断する。その結果、キープコピーのオンオフ設定がオンに設定されている場合には、ステップＳ３に移行し、キープコピーのオンオフ設定がオフに設定されている場合には、ステップＳ４に移行する。
【００６９】
ステップＳ３に移行した場合、送信側装置１００Ａの制御部４０は、ジョブデータを生成する。そして、送信側装置１００Ａの制御部４０は、送信先設定で送信先に設定されたユーザー（送信先リストＬ１０にリストアップされたユーザー）に対応付けられた画像形成装置１００へのジョブデータの送信を通信部６０に行わせる。また、送信側装置１００Ａの制御部４０は、自機の印刷部２０に対象印刷ジョブを実行させる。なお、送信側装置１００Ａの制御部４０は、送信先設定で送信先に設定されたユーザーが複数存在する場合、当該複数存在するユーザーに対応付けられた全ての画像形成装置１００へのジョブデータの送信を通信部６０に行わせる。
【００７０】
ステップＳ４に移行した場合、送信側装置１００Ａの制御部４０は、ジョブデータを生成し、送信先設定で送信先に設定されたユーザーに対応付けられた画像形成装置１００へのジョブデータの送信を通信部６０に行わせる。このとき、送信側装置１００Ａの制御部４０は、自機の印刷部２０に対象印刷ジョブを実行させない。
【００７１】
ステップＳ１において、送信先が設定されていないと送信側装置１００Ａの制御部４０が判断した場合には、ステップＳ５に移行する。ステップＳ５に移行すると、送信側装置１００Ａの制御部４０は、実行指示を受けた印刷ジョブが通常の印刷ジョブ（送信印刷ではない印刷ジョブ）であると判断する。この場合、送信側装置１００Ａの制御部４０は、印刷ジョブを実行する処理だけを行う（通常の印刷ジョブを印刷部２０に実行させる）。
【００７２】
次に、図９に示すフローチャートを参照して、受信側装置１００Ｂがジョブデータを受信したときの処理の流れについて説明する。図９に示すフローチャートは、受信側装置１００Ｂの制御部４０がジョブデータの受信を検知したときにスタートする。
【００７３】
ステップＳ１１において、受信側装置１００Ｂの制御部４０は、ジョブデータに含まれるユーザー情報で示されるユーザー（以下、対象ユーザーと称する）を認識する。そして、ステップＳ１２において、受信側装置１００Ｂの制御部４０は、自機の記憶部５０のうち、対象ユーザーの保存領域５１（ボックス機能で使用する保存領域５１）にジョブデータを保存する。これにより、受信側装置１００Ｂに対象印刷ジョブを実行させるには、ジョブデータが保存された保存領域５１へのアクセスが必要となる。
【００７４】
その後、ステップＳ１３において、受信側装置１００Ｂの制御部４０は、ジョブデータを受信した旨を報知するための報知処理を行う。このとき、受信側装置１００Ｂの制御部４０は、対象ユーザーが使用するユーザー端末２００に対して、ジョブデータを受信した旨の通知を通信部６０に行わせる。当該通知を受けたユーザー端末２００は、たとえば、ジョブデータを受信した旨のメッセージを含むダイアログボックスをポップアップ表示する。あるいは、受信側装置１００Ｂの制御部４０は、報知処理として、対象ユーザー宛のジョブデータを受信した旨のメッセージを自機の操作パネル３０に表示させる。
【００７５】
次に、図１０に示すフローチャートを参照して、受信側装置１００Ｂの記憶部５０のうち対象ユーザーの保存領域５１にジョブデータが保存されて以降の処理の流れについて説明する。
【００７６】
ステップＳ２１において、受信側装置１００Ｂの制御部４０は、ジョブデータを保存した保存領域５１（対象ユーザーの保存領域５１）へのアクセスを許可する許可条件が満たされているか否かを判断する。その結果、許可条件が満たされていると受信側装置１００Ｂの制御部４０が判断した場合には、ステップＳ２２に移行し、許可条件が満たされていないと受信側装置１００Ｂの制御部４０が判断した場合には、ステップＳ２１の判断が繰り返される。
【００７７】
なお、受信側装置１００Ｂの制御部４０は、対象ユーザーがログインしているとき、許可条件が満たされていると判断する。あるいは、受信側装置１００Ｂの制御部４０は、操作パネル３０に入力されたボックスパスワードと対象ユーザーの保存領域５１のパスワードとが一致したことによって対象ユーザーの保存領域５１へのアクセスを許可しているとき、許可条件が満たされていると判断する。
【００７８】
ステップＳ２２に移行すると、受信側装置１００Ｂの制御部４０は、対象ユーザーの保存領域５１に保存したジョブデータが印刷対象として選択されたか否か（ボックス機能で使用するデータとして選択されたか否か）を判断する。その結果、ジョブデータが印刷対象として選択されたと受信側装置１００Ｂの制御部４０が判断した場合には、ステップＳ２３に移行する。一方で、ジョブデータが印刷対象として選択されていないと受信側装置１００Ｂの制御部４０が判断した場合には、ステップＳ２１に移行する。
【００７９】
ステップＳ２３に移行すると、受信側装置１００Ｂの制御部４０は、ジョブデータに許可情報が含まれているか否かを判断する。その結果、ジョブデータに許可情報が含まれている（対象印刷ジョブの実行条件の変更が許可されている）と受信側装置１００Ｂの制御部４０が判断した場合には、ステップＳ２４に移行する。
【００８０】
ステップＳ２４に移行すると、受信側装置１００Ｂの制御部４０は、操作パネル３０に指示し、対象印刷ジョブの実行条件（複数の設定項目の各設定値）の変更指示の受け付けを行わせる。このとき、操作パネル３０は、ジョブ設定画面３００（図４および図５参照）を表示し、対象印刷ジョブの実行条件の設定（すなわち、ジョブ設定）をユーザーから受け付ける。このときのジョブ設定の受け付けでは、設定項目画面３１０の送信先リストＬ１０は全て空欄となる（送信先が設定されていない状態となる）。その後、ステップＳ２５に移行する。
【００８１】
なお、ステップＳ２３において、ジョブデータに許可情報が含まれていない（対象印刷ジョブの実行条件の変更が許可されていない）と受信側装置１００Ｂの制御部４０が判断した場合には、対象印刷ジョブの実行条件の変更指示の受け付けは行われず、ステップＳ２５に移行する。この場合、たとえば、対象印刷ジョブの実行条件の変更が許可されていない旨のメッセージを受信側装置１００Ｂの操作パネル３０に表示してもよい。
【００８２】
ステップＳ２５に移行すると、受信側装置１００Ｂの制御部４０は、対象印刷ジョブの実行指示を操作パネル３０が受け付けたか否かを判断する。その結果、対象印刷ジョブの実行指示を受け付けたと受信側装置１００Ｂの制御部４０が判断した場合には、ステップＳ２６に移行し、対象印刷ジョブの実行指示を受け付けていないと受信側装置１００Ｂの制御部４０が判断した場合には、ステップＳ２５の判断が繰り返される。
【００８３】
ステップＳ２６に移行すると、受信側装置１００Ｂの制御部４０は、自機の印刷部２０に対象印刷ジョブを実行させる。このとき、受信側装置１００Ｂの印刷部２０は、ジョブデータに含まれる実行条件情報で示される実行条件に従って対象印刷ジョブを実行する。ただし、対象印刷ジョブの実行条件が変更されている場合（ステップＳ２３からステップＳ２４に移行した場合）、受信側装置１００Ｂの印刷部２０は、変更後の実行条件に従って対象印刷ジョブを実行する。また、受信側装置１００Ｂの印刷部２０は、対象印刷ジョブの実行時に、ジョブデータに含まれる部数情報で示される部数分の印刷を行う。
【００８４】
ここで、受信側装置１００Ｂの制御部４０によって行われる許可条件を満たしているか否かの判断（ステップＳ２１の判断）において、許可条件が満たされていないと受信側装置１００Ｂの制御部４０が判断した場合には、当該判断が繰り返される。そして、許可条件が満たされなければ、受信側装置１００Ｂでは操作パネル３０による対象印刷ジョブの実行指示の受け付けが行われない。したがって、対象ユーザーがログインしたり、対象ユーザーがボックスパスワードを入力したりしない限り、対象印刷ジョブの実行指示を行うことができない。すなわち、対象ユーザー以外のユーザーは対象印刷ジョブの実行指示を行うことができない。
【００８５】
本実施形態の画像形成システム１００Ｓによって実行される送信印刷では、上記のように、送信側装置１００Ａから送信され、受信側装置１００Ｂが受信したジョブデータが受信側装置１００Ｂに保存される。それ以降、受信側装置１００Ｂは、ユーザー情報で示されるユーザー（対象ユーザー）からジョブデータに含まれる画像データに基づく印刷ジョブ（対象印刷ジョブ）の実行指示を受け付けたときに対象印刷ジョブを実行するが、対象ユーザー以外のユーザーからは対象印刷ジョブの実行指示を受け付けない。言い換えると、受信側装置１００Ｂの近くに対象ユーザーが居るときにだけ受信側装置１００Ｂが対象印刷ジョブを実行する。これにより、対象印刷ジョブの印刷物（送信印刷の実行により得られた印刷物）は直ちに対象ユーザーによって取得されるので、対象印刷ジョブの印刷物の内容が漏洩するのを抑制することができる。
【００８６】
また、受信側装置１００Ｂは実行条件情報で示される実行条件に基づき対象印刷ジョブを実行するので、送信側装置１００Ａのユーザー（送信側装置１００Ａに対するジョブ設定で対象印刷ジョブの実行条件を設定したユーザー）が意図した形式の印刷物を対象ユーザーに提供することができる。さらに、対象ユーザーからすると、対象印刷ジョブの実行に際してジョブ設定を行う必要がないので、利便性が良い。
【００８７】
また、本実施形態では、受信側装置１００Ｂは、対象印刷ジョブの実行に際して、ジョブデータに許可情報が含まれているか否かを判断し、ジョブデータに許可情報が含まれている場合には対象印刷ジョブの実行条件の変更指示を受け付け、ジョブデータに許可情報が含まれていない場合には対象印刷ジョブの実行条件の変更指示を受け付けない。これにより、対象印刷ジョブの実行条件の変更を許可する旨の設定を行えば（ジョブデータに許可情報を含めれば）、対象印刷ジョブの実行条件の変更を対象ユーザーに行わせることができる。一方で、対象印刷ジョブの実行条件の変更を許可しない旨の設定を行えば（ジョブデータに許可情報を含めなければ）、対象ユーザーは対象印刷ジョブの実行条件を変更することができないので、確実に、送信側装置１００Ａのユーザーが意図した形式の印刷物を対象ユーザーに提供することができる。
【００８８】
また、本実施形態では、送信側装置１００Ａは、送信先設定で送信先に設定されたユーザーが複数存在する場合、送信先設定で送信先に設定されたユーザーに対応付けられた全ての画像形成装置１００に対してジョブデータを送信する。これにより、送信側装置１００Ａのユーザーからすると、送信印刷を１回実行するだけで、送信先設定で送信先に設定した複数のユーザーの全てに対象印刷ジョブの印刷物を提供することができるので、利便性が良い。
【００８９】
また、本実施形態では、受信側装置１００Ｂは、ジョブデータを受信すると、自機の記憶部５０のうち対象ユーザーがアクセス権限を有する保存領域５１にジョブデータを保存する。これにより、対象ユーザー以外のユーザーによって対象印刷ジョブの実行指示が行われるのを抑制することができる。
【００９０】
また、本実施形態では、受信側装置１００Ｂは、ジョブデータを受信すると、対象ユーザーが使用するユーザー端末２００に対してジョブデータを受信した旨を通知する処理、および、対象ユーザー宛のジョブデータを受信した旨のメッセージを自機の操作パネル３０に表示する処理、の少なくとも一方を行う。これにより、対象ユーザーからすると、自身宛のジョブデータが存在することを直ぐに知ることができるので、利便性が良い。
【００９１】
また、本実施形態では、送信側装置１００Ａは、ジョブデータの送信に際して、対象印刷ジョブの印刷物を取得するか否かを受け付け、対象印刷ジョブの印刷物を取得する旨を受け付けると、対象印刷ジョブを自機で実行する。これにより、送信印刷の実行時に、対象ユーザーだけでなく、送信側装置１００Ａのユーザーにも対象印刷ジョブの印刷物を取得させることができる。
【００９２】
また、本実施形態では、送信側装置１００Ａは、ジョブデータの送信に際して、送信先設定で送信先に設定されたユーザーをリストアップした送信先リストＬ１０を自機の操作パネル３０に表示し、送信先の追加および削除を受け付ける。これにより、容易に、送信印刷の送信先の追加および削除を行うことができる。
【００９３】
また、本実施形態では、受信側装置１００Ｂは、対象印刷ジョブの実行時に、部数情報で示される部数分の印刷を行う。これにより、対象印刷ジョブの実行に際して部数設定を行う必要がないので、対象ユーザーの利便性がより向上する。
【００９４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９５】
５０  記憶部
５１  保存領域
１００  画像形成装置
１００Ａ  送信側装置
１００Ｂ  受信側装置
１００Ｓ  画像形成システム
２００  ユーザー端末
【図１】
2018082330.tif 000003
【図２】
2018082330.tif 000004
【図３】
2018082330.tif 000005
【図４】
2018082330.tif 000006
【図５】
2018082330.tif 000007
【図６】
2018082330.tif 000008
【図７】
2018082330.tif 000009
【図８】
2018082330.tif 000010
【図９】
2018082330.tif 000011
【図１０】
2018082330.tif 000012